(57)【要約】【課題】撥さばきに支障を与えることなく、効果的に減音すること。【解決手段】  皮Ｄとの間に一定の空間を形成するように胴の根緒側の第１の辺と第１の辺に隣接する第２の辺とに支持され、弦Ｃより第２の辺に対向する第３の辺側の皮Ｄが露出するように構成された本体１１と、弦Ｃに当接する位置に形成された下駒１２とから構成されている。【選択図】図１
2007248705.tif 000002
【特許請求の範囲】
【請求項１】
皮との間に一定の空間を形成するように胴の根緒側の第１の辺と前記第１の辺に隣接する第２の辺とに支持され、弦より前記第２の辺に対向する第３の辺側の皮が露出するように構成された本体と、前記弦に当接する位置に形成された下駒とからなる三味線用減音具。
【請求項２】
前記胴に当接する領域に弾性材からなる凸部が形成されている請求項１に記載の三味線用減音具。
【請求項３】
前記第１の辺の弦と対向する領域に凹部、または溝が形成されている請求項１、または請求項２に記載の三味線用減音具。
【請求項４】
前記本体が略Ｌ字状で、前記第１の辺の先端が前記下駒よりも前記第２の辺と対向する辺側に若干突出する程度に構成され、第１の辺が第２の辺の幅よりも大きく構成されている請求項１に記載の三味線用減音具。
【発明の詳細な説明】
【技術分野】
【０００１】
本発明は、撥さばきなどの練習時の音を下げるための三味線用の減音具に関する。
【背景技術】
【０００２】
住宅密集地や夜間に楽器の練習をする場合、その音が騒音となる恐れがある。このため、弦楽器にあっては共鳴胴の機能を殺す一方、共鳴胴に振動電気変換手段を内蔵させ、練習時の音を可及的に下げる一方、演奏時には電気信号をアンプにより増幅してスピーカから流すように構成したサイレント楽器が提案されている。
【０００３】
これによれば、練習時の音を効果的に下げることができるものの、楽器のコストが上昇したり、また楽器本来の音色から外れるという不都合がある。
【０００４】
このような問題に対処するため、図４に示したように三味線においては駒を胴２２だけで支持して駒２３の振動を皮２０に非伝達とするための減音具２１、いわゆる忍び駒も実用化されている。
【０００５】
ところが、撥の位置を弦の方向に移動させて音の強弱を調整する津軽三味線に忍び駒を適用して減音すると、忍び駒が胴２２を跨ぐように駒の延長線上に位置しているため、前撥（棹側）では問題がないものの、強い音を出すために後撥（皮の中央部）により演奏しようとすると、手が忍び駒２１の下端部２１ａに当たり忍び駒２１が邪魔になって撥さばきに支障をきたすという問題がある。
【発明の開示】
【発明が解決しようとする課題】
【０００６】
本発明はこのような問題に鑑みてなされたものであってその目的とするところは、撥さばきに支障を与えることなく、効果的に減音することができる三味線用の新規な減音具を提供することである。
【課題を解決するための手段】
【０００７】
このような課題を達成するために請求項１の発明は、皮との間に一定の空間を形成するように胴の根緒側の第１の辺と前記第１の辺に隣接する第２の辺とに支持され、弦より前記第２の辺に対向する第３の辺側の皮が露出するように構成された本体と、前記弦に当接する位置に形成された下駒とから構成されている。
【０００８】
請求項２の発明は、前記胴に当接する領域に弾性材からなる凸部が形成されている。
【０００９】
請求項３の発明は、前記第１の辺の弦と対向する領域に凹部、または溝が形成されている。
【発明の効果】
【００１０】
請求項１の発明によれば、弦から駒に伝達された振動を減音具で受けて胴に伝達するため、効果的に減音でき、また減音具が胴の下方と根緒の部分だけで支持されているため、撥をさばく手の移動領域には障害物が存在せず、撥さばきに影響を与えることがない。
【００１１】
請求項２の発明によれば、胴の表面の皮との間で強い摩擦力を生じさせて演奏中に減音具がずれるのを防止するとともに、胴への振動の伝達を弾性材によりよりいっそう減衰させることができる。
【００１２】
請求項３の発明によれば、装着時に弦との摩擦を低減させて容易に装着することができる。
【発明を実施するための最良の形態】
【００１３】
図１は、本発明の減音具１０を装着した三味線の胴の部分を示すものであって、減音具１０は略Ｌ字状に構成されていて、胴の隣接する２辺、より詳細には演奏時に上方となる辺Ａと根緒側の辺Ｂとで皮Ｄとの間に空間を形成するように支持され、表面には弦Ｃを支持する下駒１２を設けて構成されている。
【００１４】
図２（イ）（ロ）は、上述の減音具１０の実施例を示すものであって、外周が、演奏時に上方となる辺Ａと根緒Ｎの側の辺Ｂの外周と略一致するとともに、根緒Ｎの側が下駒を配置するのに適した位置までの幅Ｗを有する略Ｌ字状の本体１１に、弦に対向する位置に下駒１２を、また減音具１０の裏面の胴と対向する領域に形成された突条部１３、１４、この実施例では帯状の弾性材からなるクッション材を貼付して構成されている。
【００１５】
また、減音具１０の表面側には必要に応じて根緒側の辺の弦Ｃと接する位置には溝、または凹部１５が形成されている。
【００１６】
本体は、下駒１２を介して受ける弦の圧力による変形を可及的に小さくするため、十分な剛性を持つ材料、例えば鉄やステンレス鋼、さらにはＰＰＳ樹脂のような高剛性エンジニアリングプラスチックなどにより構成されている。
【００１７】
この実施例において練習のために減音する場合には、元の下駒を取り外して減音具１０の下駒１２を弦Ｃに一致するように胴の棹側に乗せ、外周が胴の２辺Ａ、Ｂに一致するまで根緒Ｎの方向にスライドさせる。
このスライド時に減音具１０の表面の溝、または凹部１５に弦Ｃが収容されるため、弦Ｃとの摩擦力が低減されて軽い力で規定（図１の状態）の位置まで移動させることができる。
【００１８】
所定の位置まで移動させると、減音具１０の本体は、その２辺を胴に支持されて皮Ｄに対向する部分が図３に示したように皮Ｄとの間に空間ｇを形成し、また弦Ｃによる強い圧接力により胴に接している皮Ｄとの間の強い摩擦力で所定の位置に固定される。
【００１９】
この状態で撥により弦Ｃを弾くと、下駒１２が受けた振動は減音具１０の本体１１に伝達されるものの、皮Ｄとの間に空間ｇが存在するため皮Ｄに伝達されず、ただ胴本体に伝達される。したがって太鼓による共鳴が生じることがなく、十分に減音される。
もとより、胴の下側の領域には減音具１０が存在しないため、強い音を出すための奏法である後撥を行うため手を根緒側に移動させる際にもその移動経路に障害となるものがなく、通常の三味線と同様に演奏を行うことができる。
【００２０】
一方、減音具１０を装着時とは反対の方向にスライドさせて弦Ｃによる圧力を緩めてから引き出すと簡単に取り外すことができる。そして元の下駒を装着すれば通常の音量で演奏を行うことができる。
【図面の簡単な説明】
【００２１】
【図１】本発明の減音具を三味線に装着した状態で示す図である。
【図２】本発明の減音具の一実施例を表裏から見た状態で示す斜視図である。
【図３】図１のＥ−Ｅ線での断面図である。
【図４】従来の減音具を三味線に装着した状態で示す図である。
【符号の説明】
【００２２】
１０  減音具    １１  本体    １２  下駒    １３、１４  突条部    １５  弦収容用の溝や凹部    Ａ、Ｂ  胴の辺    Ｃ  弦    Ｄ  皮
【図１】
2007248705.tif 000003
【図２】
2007248705.tif 000004
【図３】
2007248705.tif 000005
【図４】
2007248705.tif 000006